(57)【要約】      （修正有）【課題】電動回転ドアが通行体に及ぼす衝突力の減少化策。電動回転ドアと固定施設とによる挟圧事故の絶滅化策。【解決手段】（１）従来電動回転ドアに隣接していた柱や壁等の固定施設を撤去または移動する。（２）ミニドアを構成する素材を軽量化し縦横小分割により小型化する。（３）このミニドアをもつ電動回転ドアと手動ドアとを併設して稼動させる。【選択図】図４
0003120007.tif 000002
【実用新案登録請求の範囲】
【請求項１】
電動回転ドアにおいて、
（１）  縦長形でドア状の板の右側の端の部分を固定板１とし、この部分を除くほかの部分を縦割りに２分割して固定板１に接する部分を可動扉２とし、その他の部分を横割りにして数個の可動小扉３に分割し、可動扉２の右側の端を固定板１の左側の端に、また各可動小扉３の右側の端を各個別に可動扉２の左側の端に、それぞれ複数個の蝶番４と左右回転復元蝶番５により回転可能にとりつけ、
（２）  このドア状の板の固定板１の右側の端を中心として反時計回りに回転させるときの前進方向側の表面上において、最下位の可動小扉３を除く他の各可動小扉３の下縁の一部分にそれぞれひっかけ状の突起６をとりつけ、これらの突起６がそれぞれ下位の可動小扉３の上縁の一部分の表面上を横方向へ押えて接着と離脱とを可能とする構造とし、これらの数個の可動小扉３と可動扉２と固定板１との全体をミニドア８とし、
（３）  この各ミニドア８の固定板１を電動回転軸１１にとりつけて電動回転ドア１２とし、また別のミニドア８の固定板１を、電動回転ドア１２の入口と出口において、電動回転ドアゾーン１３からミニドア８の横幅程に離れたところにある柱や壁等の固定施設９にとりつけてこれを手動ドア２２とし、
（４）  入口と出口に静止している電動回転ドア１２の各ミニドア８と各手動ドア２２とが、電動回転軸１１と各手動ドア２２の固定板１とを結ぶ直線上に保持され、電動回転ドア１２の各ミニドア８と各手動ドア２２の各ミニドア８の各外縁が相互に接するときの間隔が指１本か２本程の巾に保持され、電動回転ドア１２と手動ドア２２とが併設されて稼動可能となる組合せとし、
以上の構成からなる手動ドアを併用する電動回転ドア。
【考案の詳細な説明】
［技術の分野］
【０００１】  本案は電動回転ドアと固定施設との間で起きる挟圧事故を絶無にするための手動ドアを併用する電動回転ドアに関する。
【背景技術】
【０００２】  ▲１▼特開  ２００２−１９５９４９（回転ドア）
▲２▼登録実用  ３１０４７４８（回転扉の内部回転扉の外側部分が折れ曲がることにより外枠との間で挟まれる危険を軽減させた回転扉）
▲３▼登録実用  ３１０４９１２（回転ドア）
▲４▼登録実用  ３１０４９５３（回転ドア装置）
▲５▼登録実用  ３１０５８６３（補助扉付き回転扉）
【考案の開示】
【考案が解決しようとする課題】
【０００３】  電動回転ドアの安全性の確保と効率性の拡充の面から本案が解決しようとする課題は次のとおりである。
（１）  電動回転ドアが通行体に当る力を弱くして、ドアと固定施設とによる挟圧事故を絶無にする対策
（２）  電動回転ドア利用者の安心感を高め経済効果を挙げる対策
【課題を解決するための手段】
【０００４】  従来電動回転ドアの事故防止策については、ドアの回転速度規制、通行体がドアに挟まれる前に接触を感知してドアの回転を止めるセンサーの設置、防護柵の設置、警備員の常駐、等の諸措置が講ぜられてきたが、特に大型電動回転ドアにおいてはこれらを撤去・休止の他なお対策考慮中のものも少なからずあり、電動回転ドア利用者に対する安全は充分確保されたとはいえない状況である。【０００５】  電動回転ドア利用者の安全優先を考えるとき、本案はドアの軽量化策としてのドアの構成素材をスチール・ガラス等の重量系のものからアルミ・木材等の軽量系のものへの切り替えと、ドアの縦割りのほかに横割りの方法による小型細分化を採用し、更にドア自体に緩衝体をとりつけたり蝶番等を使用して、ドアが通行体に接触する際のソフト化と衝突力の減少化を図るための構造改善に努めた。【０００６】  ここで素人並みの手持資料ではあるが実施例に基づく数値について、仮にドアが通行体に及ぼす衝突力に関する従来案を１としたときの、これに対する本案との比較を探るとした場合の単純推定値を試算してみると、素材の軽量化比は２／３〜１／２、ドアの縦割り分割化比は９／１５、同横割り分割化比は１／７となり、これらを乗算してみると０．０５７〜０．０４３となり衝突力の減少率は１０％を遥かに下まわると考えられる。しかしなおこれだけではドアと固定施設による挟圧事故を絶無にするには程遠い。【０００７】  ドアと固定施設とによる挟圧事故を絶無にして電動回転ドアに対する利用者の安心感を高めるために本案は次の対策を講じた。
（１）従来電動回転ドアに隣接して設置されている柱や壁等の固定施設を撤去または移動する。
（２）ドアの構造を通行体の巾と高さに対応する部分の扉だけが接触するようにする。
（３）このドアを電動回転ドアと手動ドアにとりつける。
（４）この電動回転ドアと手動ドアとを併設稼動させる。【０００８】  以上の諸施策からなる構成において、通行体が電動回転ドアゾーン内に静止状態であるときは、通行体に触れた部分だけの可動小扉が、通行体を押さえつけることなくドアの回転方向へ、また通行体に触れない部分の可動小扉はそのままでドアの回転方向へ離れ去ってゆくこととなり、通行体がドアに挟まれる事態は生じない。また通行体が入口と出口の手動ドアゾーンを通過するときは、通行体の高さに見合う高さの可動小扉を手で押すとその可動小扉以下の各可動小扉が同時に押されて、通行体の通路が開かれて楽に通過できることとなり、通行体がドアに挟まれる事態は生じない。従って通行体のドアによる挟圧事故の発生は絶無となる。【０００９】  以上の措置の他にも、停電時対策として手動ドアへの即時切り替え利用やドアの経済速度運転、ドア稼動の時間規制等の採用および緊急停止用センサーの設置等も実施して、来館利用者の電動回転ドア使用上の安心感を高めることにより一層の経済効果を挙げることができる。
【考案の効果】（１）電動回転ドアによる挟圧事故を絶無にすることができる。
（２）利用者が電動回転ドアと手動ドアとの何れを利用するか選択できる。
（３）停電や稼働時間規制等で電動回転ドアが利用できない時に手動ドアで代用可能。
（４）ドアの軽量化と経済速度運転により節電の効果を得る。
（５）電動回転ドア利用者に安心感を与え来館者の増加が図れる。
【考案を実施するための最良の形態】  電動回転ドアの三つのミニドアを丁度時計の４時が玄関の入口、８時が出口、１２時が玄関の内側のところにあるように静止させたときに、この三つのミニドアと同じ平面上で二つの手動ドアのミニドアがそれぞれ電動回転ドアのミニドアと隣接して稼動可能となるように構成された形態。
【実施例】  本案ミニドアとその各部分の縦・横の長さを次のよう［（縦・横）単位ｃｍ］に定めた。ミニドア（２８０・１５０）、固定板（２８０・２０）、可動扉（２８０・４０）、各可動小扉（４０・９０）
【産業上の利用可能性】
【図面の簡単な説明】  図１  ミニドアの正面図
図２  ミニドアの上面図
図３  ミニドアの可動小扉側からの側面図（緩衝体省略）
図４  手動ドアを併設した電動回転ドアの上面図
図５    同                            正面図
【符号の説明】
１  固定板              １１  電動回転軸
２  稼動扉              １２  電動回転ドア            ２２  手動ドア
３  可動小扉            １３  電動回転ドアゾーン      ２３  手動ドアゾーン
４  蝶番
５  左右回転復元蝶番
６  突起
７  緩衝体
８  ミニドア
９  固定施設
【図１】
0003120007.tif 000003
【図２】
0003120007.tif 000004
【図３】
0003120007.tif 000005
【図４】
0003120007.tif 000006
【図５】
0003120007.tif 000007